(57)【特許請求の範囲】
【請求項１】
基地局のワイヤレス通信の方法であって、
セル中でユーザ機器（ＵＥ）によって送信された信号を受信信号として受信し、前記受信信号の電力を決定することと、
前記決定された信号電力に基づいて電力制御コマンドを生成することと、
前記電力制御コマンドを複数のＵＥに送信することと、
前記電力制御コマンドを前記送信することに続いて前記複数のＵＥから複数の送信を受信すること、前記複数のＵＥによって送信された前記複数の送信の少なくとも一部分が異なる送信電力を有し、前記複数の送信からの各それぞれの送信の前記送信電力は、前記電力制御コマンドと、前記それぞれの送信に関連するそれぞれのＵＥに関連付けられたあらかじめ定義された電力オフセットとに対応する、と、
を備え、
前記セルを識別するための仮想セル識別子を前記ＵＥに送信することをさらに備え、前記決定された前記受信信号の電力は、前記仮想セル識別子の前記送信に応答して測定される、方法。
【請求項２】
前記あらかじめ定義された電力オフセットを前記複数のＵＥに動的にシグナリングすることをさらに備える、請求項１に記載の方法。
【請求項３】
前記あらかじめ定義された電力オフセットを動的にシグナリングすることが、前記複数のＵＥからの各ＵＥに、
静的に定義されたオフセットのセットと、
インデックス、ここで、前記インデックスは、静的に定義されたオフセットの前記セットのうちの１つを識別する、と、
をシグナリングすることを含む、請求項２に記載の方法。
【請求項４】
前記信号の前記送信電力は、前記仮想セル識別子に対応するチャネル状態情報を使用して決定される、請求項１に記載の方法。
【請求項５】
異なる物理アップリンク制御チャネル（ＰＵＣＣＨ）が異なる仮想セル識別子に関連付けられ、異なる電力制御ループが各ＰＵＣＣＨについて定義される、請求項１に記載の方法。
【請求項６】
１つまたは複数のＰＵＣＣＨのフォーマットのマッピングをシグナリングすることをさらに備える、請求項５に記載の方法。
【請求項７】
前記受信信号の電力を決定するステップと、前記決定された信号電力に基づいて前記電力制御コマンドを生成するステップと、前記電力制御コマンドを前記複数のＵＥに送信するステップとが、キャリアアグリゲーションシステム中の各キャリアについて実行される、請求項１に記載の方法。
【請求項８】
ワイヤレス通信のための装置であって、
セル中でユーザ機器（ＵＥ）によって送信された信号を受信信号として受信し、前記受信信号の電力を決定するための手段と、
前記決定された信号電力に基づいて電力制御コマンドを生成するための手段と、
前記電力制御コマンドを複数のＵＥに送信するための手段と、
前記電力制御コマンドを前記送信することに続いて前記複数のＵＥから複数の送信を受信するための手段、前記複数のＵＥによって送信された前記複数の送信の少なくとも一部分が異なる送信電力を有し、前記複数の送信からの各それぞれの送信の前記送信電力は、前記電力制御コマンドと、前記それぞれの送信に関連するそれぞれのＵＥに関連付けられたあらかじめ定義された電力オフセットとに対応する、と、
を備え、
前記セルを識別するための仮想セル識別子を前記ＵＥに送信するための手段をさらに備え、前記決定された前記受信信号の電力は、前記仮想セル識別子の前記送信に応答して測定される、装置。
【請求項９】
ユーザ機器（ＵＥ）のワイヤレス通信の方法であって、
セル中で第１の信号を送信することと、
あらかじめ定義された電力オフセットを受信することと、
電力制御コマンドを受信することと、ここにおいて、前記電力制御コマンドは、前記ＵＥによって送信された前記第１の信号の送信電力に基づいている、
前記セル中で第２の信号を送信すること、前記第２の信号は、前記電力制御コマンドと前記あらかじめ定義された電力オフセットとに基づいて決定された信号電力で送信される、と、
を備え、
前記第２の信号を送信するために使用される信号電力は、前記あらかじめ定義された電力オフセットに基づいて前記電力制御コマンド中の電力値を調整することによって決定され、
前記セルを識別するための仮想セル識別子を受信することをさらに備え、異なる仮想セル識別子が異なる物理アップリンク制御チャネルに関連付けられる、方法。
【請求項１０】
前記電力制御コマンドが、複数のＵＥによって送信された前記第１の信号の送信電力に基づく、請求項９に記載の方法。
【請求項１１】
前記第２の信号を送信するために使用される前記信号電力は、前記あらかじめ定義された電力オフセットに基づいて前記電力制御コマンド中の電力値を調整することによって決定され、前記あらかじめ定義されたオフセットは、静的に定義されたオフセットのセットと静的に定義されたオフセットのセットのうちの１つを識別するインデックスの形態で受信される、請求項９に記載の方法。
【請求項１２】
ワイヤレス通信のための装置であって、
セル中で第１の信号を送信するための手段と、
あらかじめ定義された電力オフセットを受信するための手段と、
電力制御コマンドを受信するための手段と、ここにおいて、前記電力制御コマンドは、前記装置によって送信された前記第１の信号の送信電力に対応する決定された信号電力に基づいている、
前記セル中で第２の信号を送信するための手段、前記第２の信号は、前記電力制御コマンドと前記あらかじめ定義された電力オフセットとに基づいて決定された信号電力で送信される、と、
を備え、
前記第２の信号を送信するために使用される信号電力は、前記あらかじめ定義された電力オフセットに基づいて前記電力制御コマンド中の電力値を調整することによって決定され、
前記セルを識別するための仮想セル識別子を受信するための手段をさらに備え、異なる仮想セル識別子が異なる物理アップリンク制御チャネルに関連付けられる、装置。
【請求項１３】
実行されると、コンピュータに請求項１乃至７または請求項９乃至１１のいずれか一項に従う方法を実行させるコードを備えるコンピュータプログラム。
【発明の詳細な説明】
【関連出願】
【０００１】
[0001]本出願は、その全体が参照により本明細書に明確に組み込まれる、２０１２年３月２７日に出願された「Format Dependent Power Control For Coordinated Multipoint Transmission」と題する米国仮出願第６１／６１６，３７０号、および２０１３年３月１５日に出願された「Format Dependent Power Control for Coordinated Multipoint Transmission」と題する米国特許出願第１３／８３６，１７３号の利益を主張する。
【技術分野】
【０００２】
[0002]本開示は、一般に通信システムに関し、より詳細には、ワイヤレス通信システムにおける電力制御に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]一態様では、基地局などの装置が、セル中でユーザ機器（ＵＥ）によって送信された信号の送信電力を決定する。本装置は、決定された信号電力に基づいて電力制御コマンドを生成し、電力制御コマンドを複数のＵＥに送信する。電力制御コマンドの送信に続いて、本装置は、複数のＵＥから複数の送信を受信する。送信のうちのいくつかは異なる送信電力を有する。ＵＥによって送信された信号の異なる送信電力は、電力制御コマンドと、各それぞれのＵＥに関連するあらかじめ定義された電力オフセットとによる。
【０００６】
[0006]別の態様では、ＵＥなどの装置が、セル中で第１の信号を送信する。本装置は、あらかじめ定義された電力オフセットと電力制御コマンドとを受信する。本装置は、セル中で第２の信号を送信する。第２の信号は、電力制御コマンドとあらかじめ定義されたオフセットとに基づいて決定された信号電力で送信される。電力制御コマンドは、送信された第１の信号の送信電力に対応する決定された電力信号に基づき得る。第２の信号を送信するために使用される信号電力は、あらかじめ定義された電力オフセットに基づいて電力制御コマンド中の電力値を調整することによって決定され得る。
【図面の簡単な説明】
【０００７】
【図１】[0007]ネットワークアーキテクチャの一例を示す図。
【図２】[0008]アクセスネットワークの一例を示す図。
【図３】[0009]ＬＴＥにおけるＤＬフレーム構造の一例を示す図。
【図４】[0010]ＬＴＥにおけるＵＬフレーム構造の一例を示す図。
【図５】[0011]ユーザプレーンおよび制御プレーンのための無線プロトコルアーキテクチャの一例を示す図。
【図６】[0012]アクセスネットワーク中の発展型ノードＢおよびユーザ機器の一例を示す図。
【図７】[0013]異種ネットワーク中の範囲拡大されたセルラー領域を示す図。
【図８】[0014]多地点協調（coordinated multipoint）送信システムにおける制御とデータとの分離（decoupling）を示す図。
【図９】[0015]ｅＮＢによるワイヤレス通信の方法のフローチャート。
【図１０】[0016]例示的な装置中の異なるモジュール／手段／構成要素間のデータフローを示す概念データフロー図。
【図１１】[0017]処理システムを使用する装置のためのハードウェア実装形態の例を示す図。
【図１２】[0018]ＵＥによるワイヤレス通信の方法のフローチャート。
【図１３】[0019]例示的な装置中の異なるモジュール／手段／構成要素間のデータフローを示す概念データフロー図。
【図１４】[0020]処理システムを使用する装置のためのハードウェア実装形態の例を示す図。
【詳細な説明】
【０００８】
[0021]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0022]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１０】
[0023]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0024]したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００１２】
[0025]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のＵＥ１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示する様々な概念は、回線交換サービスを提供するネットワークに拡張され得る。
【００１３】
[0026]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0027]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割当てならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００１５】
[0028]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００１６】
[0029]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１７】
[0030]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１８】
[0031]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0032]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２０】
[0033]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは、複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかは、ＤＬ基準信号（ＤＬ−ＲＳ）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２１】
[0034]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２２】
[0035]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２３】
[0036]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは連続サブフレームのシーケンス中で搬送され、ＵＥは、フレーム（１０ｍｓ）ごとに単一のＰＲＡＣＨ試みだけを行うことができる。
【００２４】
[0037]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２５】
[0038]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２６】
[0039]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り当てることを担当する。ＭＡＣサブレイヤ５１０はまたＨＡＲＱ動作を担当する。
【００２７】
[0040]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００２８】
[0041]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割当てとを行う。コントローラ／プロセッサ６７５はまた、ＨＡＲＱ動作と、紛失パケットの再送信と、ＵＥ６５０へのシグナリングとを担当する。
【００２９】
[0042]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化および変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３０】
[0043]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３１】
[0044]コントローラ／プロセッサ６５９はＬ２レイヤを実装する。コントローラ／プロセッサは、プログラムコードとデータとを記憶するメモリ６６０に結合され得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケット再アセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３２】
[0045]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割当てに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３３】
[0046]ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３４】
[0047]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３５】
[0048]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３６】
[0049]図７は、異種ネットワーク中の範囲拡大セルラー領域を示す図７００である。リモートラジオヘッド（ＲＲＨ）７１０ｂなどのより低い電力クラスのｅＮＢは、ＲＲＨ７１０ｂとマクロｅＮＢ７１０ａとの間の拡張セル間干渉協調と、ＵＥ７２０によって実行される干渉消去とを通して、セルラー領域７０２から拡大されたセルラーセル範囲拡大（ＣＲＥ：cell range expansion）領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、ＣＲＥ領域７０３中のＵＥ７２０をサービスし、ＵＥ７２０がＣＲＥ領域７０３に入るとき、マクロｅＮＢ７１０ａからのＵＥ７２０のハンドオフを受け入れることができる。
【００３７】
[0050]いくつかの実施形態では、ＲＲＣレイヤは、生成される干渉、特に近隣セル間および近接して位置するＵＥ間の干渉を制限しながら所望の受信信号の電力を最大化するために、アップリンク電力制御を管理し得る。図８に、１つまたは複数のｅＮＢ８０６、複数のリピータまたはＲＲＨ８０８、８１２およびＵＥ８０４、８１０が同じセル８０２内で動作する、１つのＬＴＥの例を示す。電力制御は、閉ループ方法および／または開ループ方法を使用して、アップリンク干渉を低減し得る。開ループ電力制御の場合、ＵＥ８０４は、たとえば、経路損失補償係数（path loss compensation factor）を含み得るセル固有およびＵＥ固有開ループ電力制御パラメータを与えられ得る。開ループ電力制御は、開ループ経路損失（ＰＬ）測定値に依拠し得る。閉ループ電力制御では、ＵＥ８０４は、１つまたは複数の電力制御コマンドを与えられ得る。電力制御コマンドは、ユニキャスト制御チャネルおよび／またはグループキャスト制御チャネルを使用してＵＥに送信され得、このことは、ＰＵＳＣＨ、ＰＵＣＣＨ、およびサウンディング基準信号（ＳＲＳ：Sounding Reference Signal）に影響を及ぼし得る。ＳＲＳは、ｅＮＢがチャネルサウンディングを実行することを可能にするために送信されるアップリンク基準信号を備え得る。
【００３８】
[0051]閉ループＰＵＳＣＨ電力制御は、累積電力制御モードと絶対電力制御モードの両方をサポートし得る。ＵＥ８０４は、上位レイヤによって与えられた構成に基づいて、累積電力制御モードまたは絶対電力制御モードを選択し得る。累積電力制御モードでの閉ループＰＵＳＣＨ電力制御の場合、サブフレームｉにおける累積電力制御コマンドは、下記の関数を介して維持され得る。
【数１】
0006316797.tif 000002
【００３９】
δPUSCHは受信電力制御コマンドであり、値ＫPUSCHはタイミング関係を定義する。
【００４０】
[0052]閉ループＰＵＣＣＨ電力制御は、一般に、累積電力制御モードのみをサポートする。閉ループＰＵＣＣＨ電力制御の場合、サブフレームｉにおける累積電力制御コマンドは、下記の関数を介して維持され得る。
【数２】
0006316797.tif 000003
【００４１】
δPUSCHは受信電力制御コマンドであり、値ｋ＿ｍは、
ＦＤＤの場合、Ｍ＝１、ｋ＿０＝４であり、
ＴＤＤの場合、Ｍおよびｋ＿ｍの値がダウンリンクおよびアップリンクサブフレーム構成に依存するような、タイミング関係を定義する。
【００４２】
[0053]ＳＲＳ電力制御は、同じｆ（ｉ）を介してＰＵＳＣＨに結合され得る。ＳＲＳとＰＵＳＣＨとの間の電力オフセットが構成可能であり得、帯域幅差分についての考慮がなされ得る。言い換えれば、電力は、ＰＵＳＣＨとＳＲＳとの間の帯域幅差分に従ってスケーリングされ得る。
【００４３】
[0054]ＵＥ８０４は、いくつかの条件下では、ＵＥがそれのパワーヘッドルームをｅＮＢ８０６に報告し得るパワーヘッドルーム報告（ＰＨＲ：power headroom report）を与え得る。パワーヘッドルームは、ＰＵＳＣＨ送信電力と最大送信電力とに基づく計算から導出され得る。
【００４４】
[0055]いくつかの構成では、ＵＥ８０４は、２つ以上のキャリアのために構成され得る。１つのキャリアは、一般に、１次コンポーネントキャリア（ＰＣＣ）として構成される。ＰＣＣは、さらに、セルがダウンリンクコンポーネントキャリアとアップリンクコンポーネントキャリアとの組合せを備える１次セル（primary cell）またはＰＣｅｌｌと呼ばれることがある。ＵＥ８０４のためにいくつのキャリアが構成されるかにかかわらず、ＰＵＣＣＨは一般にＰＣＣ上のみで送信される。
【００４５】
[0056]ＵＥ８０４は、異なる構成されたセルのためのＰＵＳＣＨのために別個の累積電力制御ループを維持し得る。
【数３】
0006316797.tif 000004
【００４６】
ｃはサービングセル８０２であり、ｃは構成されたセルのうちの１つである。ＵＥ８０４のためにただ１つのＰＵＣＣＨがある場合、ただ１つのｇ（ｉ）がある。電力制限が実施されているとき、ＵＥ８０４は、２つ以上のＵＬチャネルの間での電力優先度付けを実行し得る。一般に、ＰＵＣＣＨが最高優先度を与えられ、その後にＰＵＳＣＨが続き、構成の２つのタイプについてＰＨＲが報告され得る。タイプ１構成は、ＰＵＣＣＨがない構成に関係し得、ＰＨＲはＰＵＳＣＨに基づく。タイプ２構成は、ＰＵＣＣＨがある構成に関係し得、ＰＨＲはＰＵＣＣＨとＰＵＳＣＨとに基づく。
【００４７】
[0057]いくつかの実施形態は、複数の基地局がダウンリンク多地点協調（ＣｏＭＰ）においてＵＥ８０４への送信を協調させ、および／または１つまたは複数の基地局がアップリンクＣｏＭＰにおいて１つまたは複数のＵＥ８０４から受信する、ＣｏＭＰ送信方式をサポートする。ダウンリンクＣｏＭＰとアップリンクＣｏＭＰとは、ＵＥ８０４に対して一緒にまたは別々に使用可能にされ得る。ジョイント送信（ダウンリンク）ＣｏＭＰでは、複数のｅＮＢ８０６が、同じデータを１つまたは複数のＵＥ８０４に送信し得る。ジョイント受信（アップリンク）ＣｏＭＰでは、複数のｅＮＢ８０６がＵＥ８０４から同じデータを受信し得る。
【００４８】
[0058]いくつかのＣｏＭＰシステムでは、ビームフォーミングが協調させられ得、それにより、ｅＮＢ８０６は、近隣セル中のＵＥ８０４への干渉を低減するために選定されたビームを使用してＵＥ８０４に送信する。いくつかのＣｏＭＰシステムでは、動的ポイント選択が採用され得、それにより、データ送信に関与する１つまたは複数のセル８０２は連続サブフレーム間で変化し得る。
【００４９】
[0059]ＣｏＭＰは、同種ネットワーク中および／または異種ネットワーク中に与えられ得る。ＣｏＭＰに関与するノード間の接続は、光ファイバーおよび／またはＸ２を使用して与えられ得る。ＨｅｔＮｅｔ  ＣｏＭＰでは、低電力ノードは、より低い電力クラス（たとえば、図７中のＲＲＨ７１０ｂ）を備え得る。
【００５０】
[0060]図８に示されているように、ＣｏＭＰでは分離された制御およびデータが可能であり、それにより、ＵＥ３８１０は、ｅＮＢ８０６から制御を受信し、ＲＲＨ４８１２からデータを受信し得る。したがって、ダウンリンク制御とダウンリンクデータとは分離される。
【００５１】
[0061]いくつかの実施形態では、ＰＵＣＣＨ生成は物理セル識別子（physical cell identifier）に基づく。ＰＣＩは、ＬＴＥセル８０２を識別し、一般に、Ｘ２セットアッププロシージャ中に与えられる。ＵＥ８０４は、可能な値のリストからＰＣＩを選択することができ、ＰＣＩは、１次同期シーケンス（ＰＳＳ）および／または２次同期シーケンス（ＳＳＳ）を使用してＵＥ８０４に通信され得る。いくつかの実施形態では、ＵＥ８０４によって使用されたＰＵＣＣＨフォーマットが、ＰＣＩに結合され得る。また、シーケンス生成、サイクリックシフトホッピングがＰＣＩによって決定され得る。
【００５２】
[0062]いくつかの実施形態は、セル分割を達成するために仮想セルＩＤを採用し得る。一例では、仮想セルＩＤがＰＣＩと入れ替わる。いくつかの実施形態では、異なるＰＵＣＣＨフォーマット、たとえば、フォーマット１、１ａ、１ｂ、２、２ａ、２ｂなどとともに、異なる仮想セルＩＤが使用され得る。
【００５３】
[0063]いくつかの実施形態では、アップリンク電力制御が、いくつかのＰＵＣＣＨフォーマットにリンクされ得る。パラメータΔF_PUCCHは、たとえば、ＰＵＣＣＨフォーマット１ａに対するＰＵＣＣＨフォーマット（Ｆ）に対応する値を有するものとして、上位レイヤによって定義され得る。この例では、ＵＥ８０４とｅＮＢ８０６の両方が、すべてのＰＵＣＣＨフォーマットに対して１つの電力制御ループを維持するだけでよい。異なるフォーマットの間のオフセットとして使用されるΔF_PUCCHをもつすべてのＰＵＣＣＨフォーマットのために、ＰＵＣＣＨのための電力制御コマンドが使用され得、それにより、以下のようになる。
【数４】
0006316797.tif 000005
【００５４】
[0064]ＣｏＭＰでは、アップリンク受信ポイントが時間ごとに変化し得る可能性がある。たとえば、動的サービングセル中で切替えが発生したとき、アップリンク受信ポイントが変化し得る。ＰＵＣＣＨのためのアップリンク受信ポイントが時間ごとに変化するとき、ＵＥ８０４が２つ以上のセル８０２と通信することを可能にするために、ＵＥ８０４のために異なる電力制御ループが維持され得る。
【００５５】
[0065]いくつかの実施形態では、単一の仮想セルＩＤがすべてのＰＵＣＣＨフォーマットのために使用され、すべてのＰＵＣＣＨフォーマットが同じ仮想セルによってサービスされ得る。すべてのＰＵＣＣＨフォーマットが、他のＵＥ８０４からのおよび／または他の物理セルまたは仮想セルとの同様の干渉レベルを経験し得、同じフォーマット（たとえば、フォーマット１ａ）を参照する電力制御仕様が再利用され得る。すべてのＰＵＣＣＨフォーマットのために異なる仮想セルＩＤが使用される場合、異なる物理セルおよび／または仮想セルによって異なるＰＵＣＣＨチャネルが処理され得る。異なるセルにおける異なる干渉レベルと同様に、異なるセルに対する異なる経路損失が観測されることがあり、現在ＰＵＣＣＨ電力制御仕様は動作しないことがある。
【００５６】
[0066]いくつかの実施形態では、単一のループが維持され、１つのチャネルに結合される。すべてのＰＵＣＣＨフォーマットについての電力調整を計算するために、同じｇ（ｉ）が使用され得、異なる仮想セルに関連する異なる経路損失干渉レベルに対処するために、各ＰＵＣＣＨフォーマットに対して異なるオフセットが使用され得る。この調整は、ＲＲＣシグナリングされるか、または動的にシグナリングされ得、それにより、値のあらかじめ定義されたセットまたは値の静的に構成されたセットからの値の選択を可能にするために、インデックスが動的にシグナリングされる。
【００５７】
[0067]いくつかの実施形態では、Ｐ0_PUCCHおよびＰＬcの値は、仮想セルＩＤがＵＥ固有ＰＵＣＣＨチャネルにシグナリングされた場合、それが仮想セルＩＤにマッピングされたセルからのＰＬを自動的に測定し、仮想セルに対してＰ0を適用するように、仮想セルＩＤに結合され得る。この構成は、仮想セルＩＤが知られると、ＵＥが、その仮想セルＩＤにマッピングされたＣＳＩ−ＲＳからの経路損失を測定することができるように、チャネル状態情報基準信号（ＣＳＩ−ＲＳ：channel state information reference signal）にさらにリンクされ得る。
【００５８】
基準信号。
【数５】
0006316797.tif 000006
【００５９】
電力制御式 式１と比較して、いくつかの実施形態では、Ｐ0_PUCCHおよびＰＬcの複数の値を異なる仮想セルＩＤおよび／またはＰＵＣＣＨフォーマットにリンクすることを可能にするために、インデックスｋが追加される。ＣＳＩ−ＲＳは、受信機に知られている基準信号を使用して、無線チャネルの特徴を記述する情報を与え得る。基準信号は、コヒーレント復調および測定のためのチャネル推定を可能にするために送信信号に挿入され得る。
【００６０】
[0068]いくつかの実施形態は、異なるＰＵＣＣＨフォーマットのために異なるループを維持する。たとえば、異なるＰＵＣＣＨフォーマットのために２つ以上のループが利用可能であるように、ＰＵＣＣＨのために２つ以上のループが許され得る。たとえば、関数ｇ（ｉ）は、異なるＰＵＣＣＨフォーマットおよび／または仮想セルＩＤにリンクされ得るｋの関数になることができる。ループへのＰＵＣＣＨフォーマットのマッピングは、明示的または暗黙的シグナリングに基づき得る。明示的シグナリングは、マッピングを明確に識別し得るが、暗黙的シグナリングは、信号および／または信号中に与えられたパラメータの組合せで情報を搬送し得る。信号および／またはパラメータの組合せは、他の用途および意味を有する信号またはパラメータを含み得、ＵＥ８０４に知られているかまたはｅＮＢ８０６によって事前構成されたフォーマットのセットからのＰＵＣＣＨフォーマットのマッピングを識別するために、設定の特定の組合せがＵＥ８０４によって使用され得る。一例では、同じ仮想セルＩＤのＰＵＣＣＨフォーマットのために同じループが使用され得、異なる仮想セルＩＤのフォーマットのために異なるループが使用され得る。ループの数は、ＵＥ８０４のためのＰＵＣＣＨのために構成された別個の仮想セルＩＤの数と同じであり得る。
【００６１】
[0069]いくつかの実施形態では、異なるループの使用は、スタンドアロンベースで行われ得、および／または１つのチャネルに結合された単一のループを使用して組み合わされ得る。ｇ（ｉ、ｋ）を変更することによって、それ自体の仮想セルＩＤを有するＰＵＣＣＨフォーマットのために閉ループアップリンク電力制御が使用され得、それにより、Ｐ0_PUCCHおよびＰＬcへの変更を最小限に抑える。
【数６】
0006316797.tif 000007
【００６２】
電力制御式式１における関数ｇ（ｉ）は、式３における関数ｇ（ｉ、ｋ）になるように変形され、異なるＰＵＣＣＨフォーマットおよび／または仮想セルＩＤにリンクされ得るｋの関数になる。
【００６３】
[0070]いくつかの実施形態では、３つすべてが異なるＰＵＣＣＨフォーマットの関数であり得る、より一般的な解決策を与えるために、異なるオフセットＰＯと異なるループＰＬとが使用され得る。
【数７】
0006316797.tif 000008
【００６４】
式２の場合と同様に、Ｐ0_PUCCHとＰＬcとの複数の値が異なる仮想セルＩＤおよび／またはＰＵＣＣＨフォーマットにリンクされることを可能にするために、式４においてインデックスｋが追加されるので、式４は式１における電力式とは異なる。さらに、電力制御式 式１における関数ｇ（ｉ）は、式４における関数ｇ（ｉ、ｋ）になるように変形され、異なるＰＵＣＣＨフォーマットおよび／または仮想セルＩＤにリンクされ得るｋの関数になる（たとえば、式３を比較されたい）。
【００６５】
[0071]いくつかの実施形態は、ＰＵＣＣＨフォーマットの関数よりもむしろ、仮想セルＩＤの関数であるすべてのＰＵＣＣＨフォーマットのための一般的な式を採用する。３つのパラメータＰ0_PUCCHとＰＬcとｇ（ｉ）とのうちの１つまたは複数が、仮想セルＩＤ  ｊの関数として計算され得、対応するＰＵＣＣＨフォーマットにｇ（ｉ）がマッピングされ得る。同じ仮想セルＩＤに複数のＰＵＣＣＨフォーマットがマッピングされるとき、同じＰＬとｇ（ｉ）とΔF_PUCCHとをもつ単一のループが依然として使用され得る。
【００６６】
[0072]選択された各オプションについて、一般に、仮想セルＩＤにリンクされたフォーマット調整を行うことが可能であり、それにより、他の関数がフォーマット差分をすでに考慮に入れている場合、ΔF_PUCCHは無効化され得る。
【００６７】
[0073]いくつかの実施形態では、キャリアアグリゲーションが使用されるとき、本明細書で説明されるオプションのすべてが各キャリアに適用され得る。
【数８】
0006316797.tif 000009
【００６８】
式５は、式２、式３、および式４において使用されたインデックスｋの代わりにインデックスｊを使用する。インデックスｋは異なるＰＵＣＣＨフォーマットにリンクされ得るが、インデックスｊは仮想セルＩＤであり得る。
【００６９】
[0074]図９は、ワイヤレス通信の方法のフローチャート９００である。本方法はｅＮＢ８０６によって実行され得る。ステップ９０２において、ｅＮＢ８０６は、仮想セル識別子によって識別され得るセル８０２中でＵＥ８０４によって送信された信号の送信電力を決定する。構成９１０中に、および／または他の時間に、ｅＮＢ８０６は、仮想セル識別子を１つまたは複数のＵＥ８０６に送信し得る。仮想セル識別子の送信に応答して、ＵＥ８０４によって送信された信号の電力が測定され得る。ＵＥ８０４によって送信された信号の電力は、仮想セル識別子に対応するチャネル状態情報を使用して決定され得る。
【００７０】
[0075]ステップ９０４において、ｅＮＢ８０６は、ＵＥ８０４からの信号が別のＵＥ８０４または別のｅＮＢ８０６に干渉する可能性があるかどうかを決定する。信号が干渉する可能性がない場合、ｅＮＢ８０６は、通常動作を再開し、ステップ９０２において、ＵＥ８０４によって送信された信号の電力を監視し続ける。
【００７１】
[0076]ステップ９０４おいて、ｅＮＢ８０６が、干渉が発生しているかまたは発生する可能性があると決定した場合、ステップ９０６において、ｅＮＢ８０６は、ＵＥ８０４によって送信された信号の決定された電力に基づいて電力制御コマンドを生成する。
【００７２】
[0077]ステップ９０８において、ｅＮＢ８０６は電力制御コマンドを複数のＵＥに送信する。セル８０２中の複数のＵＥ８０４の各々は、複数のＵＥ８０４中の他のＵＥ８０４とは別様に、ｅＮＢ８０６によって送信された電力制御コマンドに応答し得る。たとえば、各ＵＥ８０４は、電力オフセットを適用することによって電力制御コマンドに応答し得る。
【００７３】
[0078]電力制御コマンドの送信に続いて、ステップ９１０において、ｅＮＢは複数のＵＥから複数の送信を受信する。各それぞれのＵＥについて、ＵＥからの送信の送信電力は、ｅＮＢによって送信された電力制御コマンドと、それぞれのＵＥに関連するあらかじめ定義された電力オフセットとに対応する。したがって、ｅＮＢによって受信された複数の送信のうちのいくつかは、異なる送信電力を有し得る。
【００７４】
[0079]構成モード９１２は、ｅＮＢ８０６が、電力オフセットを識別するために使用された情報を動的または暗黙的にシグナリングし得ることを示す。構成は、静的または動的に選択され得るあらかじめ定義されたオフセットのセットを採用する。
【００７５】
[0080]ステップ９１４において、ｅＮＢ８０６は、静的に定義されたオフセットのセットをＵＥ８０４のうちの１つまたは複数にシグナリングする。代替として、たとえば、ｅＮＢ８０６は、アップリンク電力を構成するために使用され得る仮想セルＩＤをＵＥ８０４にシグナリングし得、これらの仮想セルＩＤは電力オフセットに暗黙的に関連付けられ得る。
【００７６】
[0081]ステップ９１６において、ｅＮＢ８０６は、同時におよび／または後の時点において、インデックスを各ＵＥに与え得る。インデックスは、静的に定義されたオフセットのセットのうちの１つを識別し得る。インデックスは、仮想セルＩＤに対応し得、および／またはＰＵＣＣＨフォーマットに関係し得る。
【００７７】
[0082]いくつかの実施形態では、異なるＰＵＣＣＨが異なる仮想セル識別子に関連付けられ得る。異なる電力制御ループが各ＰＵＣＣＨについて定義され得る。構成９１０中に、および／または別の時間において、ｅＮＢ８０６は、１つまたは複数のＰＵＣＣＨのフォーマットのマッピングをシグナリングし得る。マッピングは暗黙的にシグナリングされ得る。
【００７８】
[0083]いくつかの実施形態では、ＵＥによって送信された信号の電力を決定するステップと、１つまたは複数の電力制御コマンドを生成するステップと、１つまたは複数の電力制御コマンドをＵＥに送信するステップとが、キャリアアグリゲーションシステム中の各キャリアについて実行され得る。
【００７９】
[0084]図１０は、例示的な装置１００２中の異なるモジュール／手段／構成要素間のデータフローを示す概念データフロー図１０００である。装置はｅＮＢ８０６であり得る。装置１００２は、ＵＥ８０４から送信された信号を受信する受信モジュール１００４と、ＵＥによって送信された信号の送信電力を決定する電力決定モジュール１００６とを含む。ＵＥは、仮想セル識別子によって識別されたセル中にあり得る。仮想セル識別子の送信に応答して、ＵＥによって送信された信号の電力が測定され得る。ＵＥによって送信された信号の電力は、仮想セル識別子に対応するチャネル状態情報を使用して決定され得る。
【００８０】
[0085]装置１００２はまた、ＵＥによって送信された信号の決定された電力に基づいて電力制御コマンドを生成する電力制御生成モジュール１００８と、電力制御コマンドをいくつかのＵＥ８０４に送信する送信モジュール１００８とを含む。送信モジュール１００８はまた、構成中に、電力オフセットを識別するために使用される情報を動的または暗黙的にシグナリングし得る。構成は、静的または動的に選択され得るあらかじめ定義されたオフセットのセットを採用する。この目的で、送信モジュール１００８は、静的に定義されたオフセットのセットをＵＥ８０４のうちの１つまたは複数にシグナリングし得る。代替として、送信モジュール１００８は、アップリンク電力を構成するために使用され得る仮想セルＩＤをＵＥ８０４にシグナリングし得る。これらの仮想セルＩＤは、電力オフセットに暗黙的に関連付けられ得る。送信モジュール１００８は、同時におよび／または後の時点において、各ＵＥにインデックスを与え得る。インデックスは、静的に定義されたオフセットのセットのうちの１つを識別し得る。インデックスは、仮想セルＩＤに対応し得、および／またはＰＵＣＣＨフォーマットに関係し得る。
【００８１】
[0086]送信モジュール１００８による電力制御コマンドの送信に続いて、受信モジュール１００４は、複数のＵＥから複数の送信を受信する。各それぞれのＵＥについて、ＵＥからの送信の送信電力は、ｅＮＢによって送信された電力制御コマンドと、それぞれのＵＥに関連するあらかじめ定義された電力オフセットとに対応する。したがって、ｅＮＢによって受信された複数の送信のうちのいくつかは、異なる送信電力を有し得る。
【００８２】
[0087]本装置は、図９の上述のフローチャート中のアルゴリズムのステップの各々を実行する追加のモジュールを含み得る。したがって、図９の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８３】
[0088]図１１は、処理システム１１１４を採用する装置１００２’のためのハードウェア実装形態の一例を示す図である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４によって表される１つまたは複数のプロセッサおよび／またはハードウェアモジュールと、モジュール１００４、１００６、１００８、１０１０と、コンピュータ可読媒体１１０６とを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明しない。
【００８４】
[0089]処理システム１１１４はトランシーバ１１１０に結合され得る。トランシーバ１１１０は、１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信した信号から情報を抽出し、抽出された情報を処理システム１１１４、特に受信モジュール１００４に与える。さらに、トランシーバ１１１０は、処理システム１１１４、特に送信モジュール１０１０から情報を受信し、受信した情報に基づいて、１つまたは複数のアンテナ１１２０に適用されるべき信号を生成する。
【００８５】
[0090]処理システム１１１４は、コンピュータ可読媒体１１０６に結合されたプロセッサ１１０４を含む。プロセッサ１１０４は、コンピュータ可読媒体１１０６に記憶されたソフトウェアの実行を含む一般的な処理を担当する。ソフトウェアは、プロセッサ１１０４によって実行されたとき、処理システム１１１４に、任意の特定の装置のための上記で説明した様々な機能を実行させる。コンピュータ可読媒体１１０６はまた、ソフトウェアを実行するときにプロセッサ１１０４によって操作されるデータを記憶するために使用され得る。処理システムは、モジュール１００４、１００６、１００８、および１０１０のうちの少なくとも１つをさらに含む。それらのモジュールは、プロセッサ１１０４中で動作するか、コンピュータ可読媒体１１０６中に常駐する／記憶されたソフトウェアモジュールであるか、プロセッサ１１０４に結合された１つまたは複数のハードウェアモジュールであるか、またはそれらの何らかの組合せであり得る。処理システム１１１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【００８６】
[0091]ワイヤレス通信のための装置１００２／１００２’は、ＵＥ８０４から信号を受信するための手段１００４と、そのＵＥによって送信された信号の送信電力を決定するための手段１００６とを含む。ＵＥは、仮想セル識別子によって識別されたセル中にあり得る。装置１００２／１００２’はまた、ＵＥによって送信された信号の決定された電力に基づいて電力制御コマンドを生成するための手段１００８と、電力制御コマンドをいくつかのＵＥに送信するための手段１０１０とを含む。電力制御コマンドの送信に続いて、受信するための手段１００４はまた、複数のＵＥから複数の送信を受信する。前に説明したように、各それぞれのＵＥについて、ＵＥからの送信の送信電力は、ｅＮＢによって送信された電力制御コマンドとそれぞれのＵＥに関連するあらかじめ定義された電力オフセットとに対応する。したがって、ｅＮＢによって受信された複数の送信のうちのいくつかは、異なる送信電力を有し得る。
【００８７】
[0092]送信手段１０１０は、あらかじめ定義された電力オフセットをいくつかのＵＥ８０４に動的にシグナリングし得る。ＵＥ８０４は、電力制御コマンドに応答するときに電力オフセットを適用し得る。送信手段１０１０は、静的に定義されたオフセットのセットを各ＵＥ８０４にシグナリングし得る。送信手段１０１０は、さらに、インデックスを各ＵＥ８０４にシグナリングし得る。インデックスは、静的に定義されたオフセットのセットのうちの１つを識別し得る。
【００８８】
[0093]送信手段１０１０は、仮想セル識別子をＵＥ８０４に送信し得る。仮想セル識別子の送信に応答して、ＵＥによって送信された信号の電力が測定され得る。ＵＥによって送信された信号の電力は、仮想セル識別子に対応するチャネル状態情報を使用して決定され得る。
【００８９】
[0094]送信手段１０１０は、１つまたは複数のＰＵＣＣＨのフォーマットのマッピングをシグナリングし得る。異なるＰＵＣＣＨが、異なる仮想セル識別子に関連付けられ得る。異なる電力制御ループが各ＰＵＣＣＨについて定義され得る。手段１０１０は、マッピングを暗黙的にシグナリングし得る。
【００９０】
[0095]上述の手段は、上述の手段によって具陳される機能を実行するように構成された、装置１００２、および／または装置１００２’の処理システム１１１４の上述のモジュールのうちの１つまたは複数であり得る。上記で説明したように、処理システム１１１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【００９１】
[0096] 図１２は、ワイヤレス通信の方法のフローチャート１２００である。方法はＵＥによって行われ得る。ステップ１２０２において、ＵＥは、セル中で第１の信号を送信する。セルは仮想セル識別子によって識別され得る。仮想セル識別子は、ｅＮＢからＵＥによって受信され得る。異なる物理アップリンク制御チャネル（ＰＵＣＣＨ）が異なる仮想セル識別子に関連し得、異なる電力制御ループが各ＰＵＣＣＨについて定義され得る。したがって、ＵＥは、１つまたは複数のＰＵＣＣＨのフォーマットのマッピングを受信し得る。
【００９２】
[0097]ステップ１２０４において、ＵＥは、あらかじめ定義された電力オフセットを受信する。あらかじめ定義されたオフセットは、静的に定義されたオフセットのセットと静的に定義されたオフセットのうちの１つを識別するインデックスとの形態で受信され得る。
【００９３】
[0098]ステップ１２０６において、ＵＥは電力制御コマンドを受信する。電力制御コマンドは、ＵＥによって送信された第１の信号の送信電力に対応する決定された信号電力に基づき得る。
【００９４】
[0099]ステップ１２０８において、ＵＥは、セル中で第２の信号を送信する。第２の信号は、電力制御コマンドとあらかじめ定義されたオフセットとに基づいて決定された信号電力で送信される。たとえば、あらかじめ定義された電力オフセットに基づいて電力制御コマンド中の電力値を調整することによって、信号電力が決定され得る。
【００９５】
[0100]図１３は、例示的な装置１３０２中の異なるモジュール／手段／構成要素間のデータフローを示す概念データフロー図１３００である。装置はＵＥであり得る。装置１３０２は、セル中でアップリンク信号を送信する送信モジュール１３０８を含む。セルは仮想セル識別子によって識別され得る。装置１３０２は、電力制御コマンドとあらかじめ定義されたオフセットとを受信する受信モジュール１３０４をも含む。電力制御コマンドは、送信モジュール１３０８によって送信された第１の信号の送信電力に対応する決定された信号電力に基づく。装置１３０２は、セル中で第２の信号を送信するための信号電力を決定する信号送信電力決定モジュール１３０６をも含む。この信号電力は、受信モジュール１３０４によって受信されたあらかじめ定義されたオフセットに基づいて、受信モジュール１３０４によって同じく受信された電力制御コマンド中の電力値を調整することによって決定され得る。送信モジュール１３０８は、その後、信号送信電力決定モジュール１３０６によって決定された信号電力を使用して、セル中で第２のアップリンク信号を送信する。
【００９６】
[00101]本装置は、図１２の上述のフローチャート中のアルゴリズムのステップの各々を実行する追加のモジュールを含み得る。したがって、図１２の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９７】
[00102]図１４は、処理システム１４１４を採用する装置１３０２’のためのハードウェア実装形態の一例を示す図１４００である。処理システム１４１４は、バス１４２４によって概略的に表されるバスアーキテクチャを用いて実装され得る。バス１４２４は、処理システム１４１４の特定の適用例および全体的な設計制約に応じて、任意の数の相互接続バスおよびブリッジを含み得る。バス１４２４は、プロセッサ１４０４によって表される１つまたは複数のプロセッサおよび／またはハードウェアモジュールと、モジュール１３０４、１３０６、１３０８と、コンピュータ可読媒体１４０６とを含む様々な回路を互いにリンクする。バス１４２４はまた、タイミングソース、周辺機器、電圧調整器、および電力管理回路など、様々な他の回路をリンクし得るが、これらの回路は当技術分野においてよく知られており、したがって、これ以上説明しない。
【００９８】
[00103]処理システム１４１４はトランシーバ１４１０に結合され得る。トランシーバ１４１０は、１つまたは複数のアンテナ１４２０に結合される。トランシーバ１４１０は、伝送媒体を介して様々な他の装置と通信するための手段を与える。トランシーバ１４１０は、１つまたは複数のアンテナ１４２０から信号を受信し、受信した信号から情報を抽出し、抽出された情報を処理システム１４１４、特に受信モジュール１３０４に与える。さらに、トランシーバ１４１０は、処理システム１４１４、特に送信モジュール１３０８から情報を受信し、受信した情報に基づいて、１つまたは複数のアンテナ１４２０に適用されるべき信号を生成する。
【００９９】
[00104]処理システム１４１４は、コンピュータ可読媒体１４０６に結合されたプロセッサ１４０４を含む。プロセッサ１４０４は、コンピュータ可読媒体１４０６に記憶されたソフトウェアの実行を含む一般的な処理を担当する。ソフトウェアは、プロセッサ１４０４によって実行されたとき、処理システム１４１４に、任意の特定の装置のための上記で説明した様々な機能を実行させる。コンピュータ可読媒体１４０６はまた、ソフトウェアを実行するときにプロセッサ１４０４によって操作されるデータを記憶するために使用され得る。処理システムは、モジュール１３０４、１３０６、および１３０８のうちの少なくとも１つをさらに含む。それらのモジュールは、プロセッサ１４０４中で動作するか、コンピュータ可読媒体１４０６中に常駐する／記憶されたソフトウェアモジュールであるか、プロセッサ１４０４に結合された１つまたは複数のハードウェアモジュールであるか、またはそれらの何らかの組合せであり得る。処理システム１４１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１００】
[00105]一構成では、ワイヤレス通信のための装置１３０２／１３０２’は、セル中で第１の信号を送信するための手段を含む。セルは仮想セル識別子によって識別され得る。１３０２／１３０２’は、あらかじめ定義された電力オフセットを受信するための手段と、電力制御コマンドを受信するための手段とを含み得る。電力制御コマンドは、送信された第１の信号の送信電力に対応する決定された信号電力に基づき得る。第２の信号を送信するために使用される信号電力は、受信するための手段によって受信されたあらかじめ定義された電力オフセットに基づいて電力制御コマンド中の電力値を調整することによって決定され得る。
【０１０１】
[00106]上述の手段は、上述の手段によって具陳される機能を実行するように構成された、装置１３０２、および／または装置１３０２’の処理システム１４１４の上述のモジュールのうちの１つまたは複数であり得る。上記で説明したように、処理システム１４１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【０１０２】
[00107]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１０３】
[00108]以上の説明は、当業者が本明細書で説明した様々な態様を実施することができるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］  基地局のワイヤレス通信の方法であって、
セル中でユーザ機器（ＵＥ）によって送信された信号の送信電力を決定することと、
前記決定された信号電力に基づいて電力制御コマンドを生成することと、
前記電力制御コマンドを複数のＵＥに送信することと、
前記送信することに続いて前記複数のＵＥから複数の送信を受信すること、前記複数の送信の少なくとも一部分が異なる送信電力を有し、前記複数の送信からの各それぞれの送信の前記送信電力は、前記電力制御コマンドと、前記それぞれの送信に関連するそれぞれのＵＥに関連付けられたあらかじめ定義された電力オフセットとに対応する、と、を備える、方法。
［Ｃ２］  前記あらかじめ定義された電力オフセットを前記複数のＵＥに動的にシグナリングすることをさらに備える、Ｃ１に記載の方法。
［Ｃ３］  前記あらかじめ定義された電力オフセットを動的にシグナリングすることが、前記複数のＵＥからの各ＵＥに、
静的に定義されたオフセットのセットと、
インデックス、ここで、前記インデックスは、静的に定義されたオフセットの前記セットのうちの１つを識別する、と、
をシグナリングすることを含む、Ｃ２に記載の方法。
［Ｃ４］  前記セルが仮想セル識別子によって識別される、Ｃ１に記載の方法。
［Ｃ５］  前記仮想セル識別子を前記ＵＥに送信することをさらに備え、前記決定された送信電力は、前記仮想セル識別子の前記送信に応答して測定される、Ｃ４に記載の方法。
［Ｃ６］  前記信号の前記送信電力は、前記仮想セル識別子に対応するチャネル状態情報を使用して決定される、Ｃ４に記載の方法。
［Ｃ７］  異なる物理アップリンク制御チャネル（ＰＵＣＣＨ）が異なる仮想セル識別子に関連付けられ、異なる電力制御ループが各ＰＵＣＣＨについて定義される、Ｃ４に記載の方法。
［Ｃ８］  １つまたは複数のＰＵＣＣＨのフォーマットのマッピングをシグナリングすることをさらに備える、Ｃ７に記載の方法。
［Ｃ９］  前記マッピングが暗黙的にシグナリングされる、Ｃ８に記載の方法。
［Ｃ１０］  前記送信電力を決定するステップと、前記１つまたは複数の電力制御コマンドを生成するステップと、前記１つまたは複数の電力制御コマンドを送信するステップとが、キャリアアグリゲーションシステム中の各キャリアについて実行される、Ｃ１に記載の方法。
［Ｃ１１］  ワイヤレス通信のための装置であって、
セル中でユーザ機器（ＵＥ）によって送信された信号の送信電力を決定するための手段と、
前記決定された信号電力に基づいて電力制御コマンドを生成するための手段と、
前記電力制御コマンドを複数のＵＥに送信するための手段と、
前記送信することに続いて前記複数のＵＥから複数の送信を受信するための手段、前記複数の送信の少なくとも一部分が異なる送信電力を有し、前記複数の送信からの各それぞれの送信の前記送信電力は、前記電力制御コマンドと、前記それぞれの送信に関連するそれぞれのＵＥに関連付けられたあらかじめ定義された電力オフセットとに対応する、と、を備える、装置。
［Ｃ１２］  送信するための前記手段は、前記あらかじめ定義された電力オフセットを前記複数のＵＥに動的にシグナリングするように構成された、Ｃ１１に記載の装置。
［Ｃ１３］  前記あらかじめ定義された電力オフセットを動的にシグナリングするために、送信するための前記手段が、前記複数のＵＥからの各ＵＥに、
静的に定義されたオフセットのセットと、
インデックス、ここで、前記インデックスは、静的に定義されたオフセットの前記セットのうちの１つを識別する、と、
をシグナリングするようにさらに構成された、Ｃ１２に記載の装置。
［Ｃ１４］  前記セルが仮想セル識別子によって識別される、Ｃ１１に記載の装置。
［Ｃ１５］  送信するための前記手段が、前記仮想セル識別子を前記ＵＥに送信するよう構成され、前記決定された信号電力は、前記仮想セル識別子の前記送信に応答して測定される、Ｃ１４に記載の装置。
［Ｃ１６］  前記信号の前記送信電力は、前記仮想セル識別子に対応するチャネル状態情報を使用して決定される、Ｃ１４に記載の装置。
［Ｃ１７］  異なる物理アップリンク制御チャネル（ＰＵＣＣＨ）が異なる仮想セル識別子に関連付けられ、異なる電力制御ループが各ＰＵＣＣＨについて定義される、Ｃ１４に記載の装置。
［Ｃ１８］  送信するための前記手段が、１つまたは複数のＰＵＣＣＨのフォーマットのマッピングをシグナリングするように構成された、Ｃ１７に記載の装置。
［Ｃ１９］  前記マッピングが暗黙的にシグナリングされる、Ｃ１８に記載の装置。
［Ｃ２０］  ワイヤレス通信のための装置であって、
セル中でユーザ機器（ＵＥ）によって送信された信号の送信電力を決定することと、
前記決定された信号電力に基づいて電力制御コマンドを生成することと、
前記電力制御コマンドを複数のＵＥに送信することと、
前記送信することに続いて前記複数のＵＥから複数の送信を受信すること、前記複数の送信の少なくとも一部分が異なる送信電力を有し、前記複数の送信からの各それぞれの送信の前記送信電力が、前記電力制御コマンドと、前記それぞれの送信に関連するそれぞれのＵＥに関連付けられたあらかじめ定義された電力オフセットとに対応する、と、
を行うように構成された処理システム
を備える、装置。
［Ｃ２１］  前記処理システムが、前記あらかじめ定義された電力オフセットを前記複数のＵＥに動的にシグナリングするようにさらに構成された、Ｃ２０に記載の装置。
［Ｃ２２］  前記あらかじめ定義された電力オフセットを動的にシグナリングするために、前記処理システムが、前記複数のＵＥからの各ＵＥに、
静的に定義されたオフセットのセットと、
インデックス、ここで、前記インデックスは、静的に定義されたオフセットの前記セットのうちの１つを識別する、と、
をシグナリングするようにさらに構成された、Ｃ２１に記載の装置。
［Ｃ２３］  前記セルが仮想セル識別子によって識別される、Ｃ２０に記載の装置。
［Ｃ２４］  前記処理システムが、前記仮想セル識別子を前記ＵＥに送信するようにさらに構成され、前記決定された信号電力は、前記仮想セル識別子の前記送信に応答して測定される、Ｃ２３に記載の装置。
［Ｃ２５］  前記信号の前記送信電力は、前記仮想セル識別子に対応するチャネル状態情報を使用して決定される、Ｃ２３に記載の装置。
［Ｃ２６］  異なる物理アップリンク制御チャネル（ＰＵＣＣＨ）が異なる仮想セル識別子に関連付けられ、異なる電力制御ループが各ＰＵＣＣＨについて定義される、Ｃ２３に記載の装置。
［Ｃ２７］  前記処理システムが、１つまたは複数のＰＵＣＣＨのフォーマットのマッピングをシグナリングするようにさらに構成された、Ｃ２６に記載の装置。
［Ｃ２８］  前記マッピングが暗黙的にシグナリングされる、Ｃ２７に記載の装置。
［Ｃ２９］    セル中でユーザ機器（ＵＥ）によって送信された信号の送信電力を決定することと、
前記決定された信号電力に基づいて電力制御コマンドを生成することと、
前記電力制御コマンドを複数のＵＥに送信することと、
前記送信することに続いて前記複数のＵＥから複数の送信を受信すること、前記複数の送信の少なくとも一部分が異なる送信電力を有し、前記複数の送信からの各それぞれの送信の前記送信電力が、前記電力制御コマンドと、前記それぞれの送信に関連するそれぞれのＵＥに関連付けられたあらかじめ定義された電力オフセットとに対応する、と、
を行うためのコードを備えるコンピュータ可読媒体
を備える、コンピュータプログラム製品。
［Ｃ３０］  前記あらかじめ定義された電力オフセットを前記複数のＵＥに動的にシグナリングするためのコードをさらに備える、Ｃ２９に記載の製品。
［Ｃ３１］  前記あらかじめ定義された電力オフセットを動的にシグナリングするための前記コードが、前記複数のＵＥからの各ＵＥに、
静的に定義されたオフセットのセットと、
インデックス、ここで、前記インデックスは、静的に定義されたオフセットの前記セットのうちの１つを識別する、と、
をシグナリングするためのコードをさらに備える、Ｃ３０に記載の製品。
［Ｃ３２］  前記セルが仮想セル識別子によって識別される、Ｃ２９に記載の製品。
［Ｃ３３］  前記仮想セル識別子を前記ＵＥに送信するためのコードをさらに備え、前記決定された信号電力は、前記仮想セル識別子の前記送信に応答して測定される、Ｃ３２に記載の製品。
［Ｃ３４］  前記信号の前記送信電力は、前記仮想セル識別子に対応するチャネル状態情報を使用して決定される、Ｃ３２に記載の製品。
［Ｃ３５］  異なる物理アップリンク制御チャネル（ＰＵＣＣＨ）が異なる仮想セル識別子に関連付けられ、異なる電力制御ループが各ＰＵＣＣＨについて定義される、Ｃ３２に記載の製品。
［Ｃ３６］  １つまたは複数のＰＵＣＣＨのフォーマットのマッピングをシグナリングするためのコードをさらに備える、Ｃ３５に記載の製品。
［Ｃ３７］  前記マッピングが暗黙的にシグナリングされる、Ｃ３６に記載の装置。
［Ｃ３８］  ユーザ機器（ＵＥ）のワイヤレス通信の方法であって、
セル中で第１の信号を送信することと、
あらかじめ定義された電力オフセットを受信することと、
電力制御コマンドを受信することと、
前記セル中で第２の信号を送信すること、前記第２の信号は、前記電力制御コマンドと前記あらかじめ定義されたオフセットとに基づいて決定された信号電力で送信される、と、
を備える、方法。
［Ｃ３９］  前記電力制御コマンドが、決定された信号電力に基づき、前記決定された電力信号は、前記送信された第１の信号の送信電力に対応する、Ｃ３８に記載の方法。
［Ｃ４０］  前記信号電力は、前記あらかじめ定義された電力オフセットに基づいて前記電力制御コマンド中の電力値を調整することによって決定される、Ｃ３８に記載の方法。
［Ｃ４１］  あらかじめ定義された電力オフセットを受信することが、
静的に定義されたオフセットのセットを受信することと、
インデックスを受信すること、ここで、前記インデックスは、静的に定義されたオフセットの前記セットのうちの１つを識別する、と、
を備える、Ｃ３８に記載の方法。
［Ｃ４２］  前記セルを識別する仮想セル識別子を受信することをさらに備える、Ｃ３８に記載の方法。
［Ｃ４３］  異なる物理アップリンク制御チャネル（ＰＵＣＣＨ）が異なる仮想セル識別子に関連付けられ、異なる電力制御ループが各ＰＵＣＣＨについて定義される、Ｃ４２に記載の方法。
［Ｃ４４］  １つまたは複数のＰＵＣＣＨのフォーマットのマッピングを受信することをさらに備える、Ｃ４３に記載の方法。
［Ｃ４５］  ワイヤレス通信のための装置であって、
セル中で第１の信号を送信するための手段と、
あらかじめ定義された電力オフセットを受信するための手段と、
電力制御コマンドを受信するための手段と、
前記セル中で第２の信号を送信するための手段、前記第２の信号は、前記電力制御コマンドと前記あらかじめ定義されたオフセットとに基づいて決定された信号電力で送信される、と、
を備える、装置。
［Ｃ４６］  前記電力制御コマンドが、決定された信号電力に基づき、前記決定された電力信号が、前記送信された第１の信号の送信電力に対応する、Ｃ４５に記載の装置。
［Ｃ４７］  前記信号電力は、前記あらかじめ定義された電力オフセットに基づいて前記電力制御コマンド中の電力値を調整することによって決定される、Ｃ４５に記載の装置。
［Ｃ４８］  あらかじめ定義された電力オフセットを受信するための前記手段が、
静的に定義されたオフセットのセットを受信することと、
インデックスを受信すること、ここで、前記インデクスは、静的に定義されたオフセットの前記セットのうちの１つを識別する、と、
を行うように構成された、Ｃ４５に記載の装置。
［Ｃ４９］  前記セルを識別する仮想セル識別子を受信するための手段をさらに備える、Ｃ４５に記載の装置。
［Ｃ５０］  異なる物理アップリンク制御チャネル（ＰＵＣＣＨ）が異なる仮想セル識別子に関連付けられ、異なる電力制御ループが各ＰＵＣＣＨについて定義される、Ｃ４９に記載の装置。
［Ｃ５１］  １つまたは複数のＰＵＣＣＨのフォーマットのマッピングを受信するための手段をさらに備える、Ｃ５０に記載の装置。
［Ｃ５２］  ワイヤレス通信のための装置であって、
セル中で第１の信号を送信することと、
あらかじめ定義された電力オフセットを受信することと、
電力制御コマンドを受信することと、
前記セル中で第２の信号を送信すること、前記第２の信号が、前記電力制御コマンドと前記あらかじめ定義されたオフセットとに基づいて決定された信号電力で送信される、と、
を行うように構成された処理システム
を備える、装置。
［Ｃ５３］  前記電力制御コマンドが、決定された信号電力に基づき、前記決定された電力信号が、前記送信された第１の信号の送信電力に対応する、Ｃ５２に記載の装置。
［Ｃ５４］  前記信号電力は、前記あらかじめ定義された電力オフセットに基づいて前記電力制御コマンド中の電力値を調整することによって決定される、Ｃ５２に記載の装置。
［Ｃ５５］  あらかじめ定義された電力オフセットを受信するために、前記処理システムが、
静的に定義されたオフセットのセットを受信することと、
インデックスを受信すること、ここで、前記インデックスは、静的に定義されたオフセットの前記セットのうちの１つを識別する、と、
を行うようにさらに構成された、Ｃ５２に記載の装置。
［Ｃ５６］  前記処理システムが、前記セルを識別する仮想セル識別子を受信するようにさらに構成された、Ｃ５２に記載の装置。
［Ｃ５７］  異なる物理アップリンク制御チャネル（ＰＵＣＣＨ）が異なる仮想セル識別子に関連付けられ、異なる電力制御ループが各ＰＵＣＣＨについて定義される、Ｃ５６に記載の装置。
［Ｃ５８］  前記処理システムが、１つまたは複数のＰＵＣＣＨのフォーマットのマッピングを受信するようにさらに構成された、Ｃ５７に記載の装置。
［Ｃ５９］    セル中で第１の信号を送信することと、
あらかじめ定義された電力オフセットを受信することと、
電力制御コマンドを受信することと、
前記セル中で第２の信号を送信すること、前記第２の信号は、前記電力制御コマンドと前記あらかじめ定義されたオフセットとに基づいて決定された信号電力で送信される、と、
を行うためのコードを備えるコンピュータ可読媒体
を備える、コンピュータプログラム製品。
［Ｃ６０］  前記電力制御コマンドが、決定された信号電力に基づき、前記決定された電力信号が、前記送信された第１の信号の送信電力に対応する、Ｃ５９に記載の製品。
［Ｃ６１］  前記信号電力は、前記あらかじめ定義された電力オフセットに基づいて前記電力制御コマンド中の電力値を調整することによって決定される、Ｃ５９に記載の製品。
［Ｃ６２］  あらかじめ定義された電力オフセットを受信するためのコードが、
静的に定義されたオフセットのセットを受信することと、
インデックスを受信すること、ここで、前記インデックスは、静的に定義されたオフセットの前記セットのうちの１つを識別する、と、
を行うためのコードを備える、Ｃ５９に記載の製品。
［Ｃ６３］  前記セルを識別する仮想セル識別子を受信するためのコードをさらに備える、Ｃ５９に記載の製品。
［Ｃ６４］  異なる物理アップリンク制御チャネル（ＰＵＣＣＨ）が異なる仮想セル識別子に関連付けられ、異なる電力制御ループが各ＰＵＣＣＨについて定義される、Ｃ６３に記載の製品。
［Ｃ６５］  １つまたは複数のＰＵＣＣＨのフォーマットのマッピングを受信するためのコードをさらに備える、Ｃ６４に記載の製品。
【図１】
0006316797.tif 000010
【図２】
0006316797.tif 000011
【図３】
0006316797.tif 000012
【図４】
0006316797.tif 000013
【図５】
0006316797.tif 000014
【図６】
0006316797.tif 000015
【図７】
0006316797.tif 000016
【図８】
0006316797.tif 000017
【図９】
0006316797.tif 000018
【図１０】
0006316797.tif 000019
【図１１】
0006316797.tif 000020
【図１２】
0006316797.tif 000021
【図１３】
0006316797.tif 000022
【図１４】
0006316797.tif 000023